(57)【要約】【課題】  メンブレン型の薄膜スイッチの構成を簡単、かつコンパクト化し、使い勝手のよい誘導加熱調理器を提供することを目的とする。【解決手段】  入力設定するメンブレン型の薄膜スイッチ１０を固定板１５に取り付けて、本体１を構成する上部フレーム８と下部フレーム９の間に配置し、本体１に取り付けてなるものである。これにより、メンブレン型の薄膜スイッチ１０は、固定板１５に取り付けて本体１を構成する上部フレーム８と下部フレーム９の間に配置するだけであり、構成が簡単、かつコンパクト化し、使い勝手のよいものとなる。【選択図】  図２
2005085664.tif 000002
【特許請求の範囲】
【請求項１】
耐熱性と電気絶縁性を有する鍋載置板と、その下方に配置される加熱コイルと、加熱コイルに高周波の交流電流を供給するインバータ電源装置と、インバータ電源装置を制御する制御部と、入力設定するメンブレン型の薄膜スイッチと、これら各部材を配した本体とを有し、前記メンブレン型の薄膜スイッチは固定板に取り付けて、前記本体を構成する上部フレームと下部フレームの間に配置し、本体に取り付けてなる誘導加熱調理器。
【請求項２】
上部フレームに凹部を設けてここに薄膜スイッチの操作部を配置し、上部フレームの上面より下方に薄膜スイッチの操作部を位置させた請求項１に記載の誘導加熱調理器。
【請求項３】
薄膜スイッチと制御部の配線用ケーブルは、その途中に略Ｕ字状のたるみ部を有する請求項１または２に記載の誘導加熱調理器。
【請求項４】
配線用ケーブルの略Ｕ字状のたるみ部と対向する本体の底部位置に液体を溜めるへこみ部を設けた請求項３に記載の誘導加熱調理器。
【請求項５】
薄膜スイッチと上部フレームとの接合部にシール材を取り付けた請求項１〜４のいずれか１項に記載の誘導加熱調理器。
【請求項６】
薄膜スイッチを構成する電極空間と外気とが通ずる空気穴を設けた請求項１〜５のいずれか１項に記載の誘導加熱調理器。
【請求項７】
空気穴は、配線用ケーブルのたるみ部より制御部側で開放して配設した請求項６に記載の誘導加熱調理器。
【請求項８】
薄膜スイッチは、上部フレームの裏面に貼り付けた請求項１〜７のいずれか１項に記載の誘導加熱調理器。
【請求項９】
上部フレームの上面に、薄型スイッチへの液体の流れ込みを阻止する液体阻止部を設けた請求項１〜８のいずれか１項に記載の誘導加熱調理器。
【請求項１０】
上部フレームに設けた凹部と、本体の外周との間に液体を排出する排出溝を設けた請求項１〜９のいずれか１項に記載の誘導加熱調理器。
【発明の詳細な説明】
【技術分野】
【０００１】
本発明は、電磁誘導によって生じた渦電流によるジュール熱で鍋を直接加熱する誘導加熱調理器に関するものである。
【背景技術】
【０００２】
従来、誘導加熱を応用した誘導加熱調理器は、電気ヒータやガスと異なり金属鍋の底部が直接加熱されるために、他に赤熱部や高温部が本質的に存在せず、高効率、安全、清潔等多くの特長を有し、テーブルやキャビネットに埋め込むビルトイン型の誘導加熱調理器として普及している。そして、この誘導加熱調理器において、電源の入・切や出力設定等、実使用において使用者の要望を受付けるスイッチ部としては、メンブレン型のスイッチを備えたものが知られている（例えば、特許文献１参照）。
【０００３】
これは、ケース本体を構成する外郭周辺に固定台を介して操作基板を固定し、この操作基板上にスイッチを取り付け、そのスイッチをケース本体の上ケースに貼り付けたメンブレンシートを介して操作するようにしたものである。
【特許文献１】特開平１１−３３９９４５号公報
【発明の開示】
【発明が解決しようとする課題】
【０００４】
しかしながら、前記従来の構成では、メンブレン型のスイッチは、ケース本体の外郭、固定台、操作基板、スイッチ、ケース本体の上ケース、およびメンブレンシートと関連構成部材が多く、構成が複雑で、かつスイッチ部の厚みが厚くなり、全体の高さが高くなって、外観的にも、スペース的にも課題があった。
【０００５】
本発明は、前記従来の課題を解決するもので、メンブレン型の薄膜スイッチの構成を簡単、かつコンパクト化し、使い勝手のよい誘導加熱調理器を提供することを目的とする。
【課題を解決するための手段】
【０００６】
前記従来の課題を解決するために、本発明の誘導加熱調理器は、入力設定するメンブレン型の薄膜スイッチを固定板に取り付けて、本体を構成する上部フレームと下部フレームの間に配置し、本体に取り付けてなるものである。
【０００７】
これにより、メンブレン型の薄膜スイッチは、固定板に取り付けて本体を構成する上部フレームと下部フレームの間に配置するだけであり、構成が簡単、かつコンパクト化し、使い勝手のよいものとなる。
【発明の効果】
【０００８】
本発明の誘導加熱調理器は、メンブレン型の薄膜スイッチの構成を簡単、かつコンパクト化し、使い勝手のよいものとすることができる。
【発明を実施するための最良の形態】
【０００９】
第１の発明は、耐熱性と電気絶縁性を有する鍋載置板と、その下方に配置される加熱コイルと、加熱コイルに高周波の交流電流を供給するインバータ電源装置と、インバータ電源装置を制御する制御部と、入力設定するメンブレン型の薄膜スイッチと、これら各部材を配した本体とを有し、前記メンブレン型の薄膜スイッチは固定板に取り付けて、前記本体を構成する上部フレームと下部フレームの間に配置し、本体に取り付けてなる誘導加熱調理器とすることにより、メンブレン型の薄膜スイッチは、固定板に取り付けて本体を構成する上部フレームと下部フレームの間に配置するだけであり、構成が簡単、かつコンパクト化し、使い勝手のよいものとなる。
【００１０】
第２の発明は、特に、第１の発明の上部フレームに凹部を設けてここに薄膜スイッチの操作部を配置し、上部フレームの上面より下方に薄膜スイッチの操作部を位置させたことにより、薄膜スイッチの操作部が上部フレームの上面より下方に位置することで、薄膜スイッチを傷つけたり、鍋やフライパン等の調理具の熱で変形させてしまったりすることがなく、信頼性が高く、使い勝手もよいものである。
【００１１】
第３の発明は、特に、第１または第２の発明において、薄膜スイッチと制御部の配線用ケーブルは、その途中に略Ｕ字状のたるみ部を有することにより、本体内に液体が浸入したとしても、配線用ケーブルの略Ｕ字状のたるみ部で滴下することになり、加熱コイルやインバータ電源装置には液体が浸入することがなく、安全である。
【００１２】
第４の発明は、特に、第３の発明において、配線用ケーブルの略Ｕ字状のたるみ部と対向する本体の底部位置に液体を溜めるへこみ部を設けたことにより、配線用ケーブルの略Ｕ字状のたるみ部で滴下する液体を、一時的に溜めることができ、機器の制御部やインバータ電源装置あるいはその他の部分に液体が浸入するのを防止することができる。
【００１３】
第５の発明は、特に、第１〜４のいずれか１つの発明において、薄膜スイッチと上部フレームとの接合部にシール材を取り付けたことにより、上部フレーム上の液体が本体内に浸入することを防止することができる。
【００１４】
第６の発明は、特に、第１〜５のいずれか１つの発明において、薄膜スイッチを構成する電極空間と外気とが通ずる空気穴を設けたことにより、薄膜スイッチの急激な熱変化による電極空間の膨張、圧縮を防止し、圧縮した場合の電極間の短絡を防ぐことができる。
【００１５】
第７の発明は、特に、第６の発明において、空気穴は、配線用ケーブルのたるみ部より制御部側で開放して配設したことにより、空気穴から液体が薄膜スイッチに浸入して電極間を短絡させることはない。
【００１６】
第８の発明は、特に、第１〜７のいずれか１つの発明において、薄膜スイッチは、上部フレームの裏面に貼り付けたことにより、薄膜スイッチが上部フレームの裏面に密着し、上部フレーム上の液体が薄膜スイッチ内に浸入することを防止することができる。
【００１７】
第９の発明は、特に、第１〜８のいずれか１つの発明において、上部フレームの上面に、薄型スイッチへの液体の流れ込みを阻止する液体阻止部を設けたことにより、液体阻止部の作用で鍋載置板にこぼれた水や煮汁がメンブレン型の薄膜スイッチに流れ込むことを防止するとともに、加熱された鍋やフライパン等がずらして置かれた時にも、液体阻止部の作用で直接薄型スイッチに接触することがなく、薄膜スイッチの熱変形や電極間の短絡を防止することができる。
【００１８】
第１０の発明は、特に、第１〜９のいずれか１つの発明において、上部フレームに設けた凹部と、本体の外周との間に液体を排出する排出溝を設けたことにより、薄膜スイッチ上に水や煮汁がこぼれても溜まることがなく、排出溝を介して外周面に流れ出ていくため、信頼性が高まるとともに、汚れが溜まる心配も少なくなる。
【００１９】
以下、本発明の実施の形態について、図面を参照しながら説明する。なお、この実施の形態によって本発明が限定されるものではない。
【００２０】
（実施の形態１）
図１、図２は、本発明の実施の形態１における誘導加熱調理器を示すものである。
【００２１】
図１は、キッチンのキャビネット７にユニット部をはめ込んだビルトイン型の誘導加熱調理器を示している。図に示すように、キャビネット７には、これと同一平面にユニット部を支持するための調理器の本体１を構成する金属製の上部フレーム８が周囲に露出している。上部フレーム８の内側に３つの加熱部を有する耐熱性と電気絶縁性をもった鍋載置板２が装備され、上部フレーム８の内部に入力設定するメンブレン型の薄膜スイッチ１０が固定されている。そして、薄膜スイッチ１０の近傍の上部フレーム８には、入力設定するメンブレン型の薄膜スイッチ１０を表す表示と動作状態を表示する表示部がある。
【００２２】
図２は、本体１をキャビネット７内に設置した状態の詳細を示している。鍋載置板２の下には加熱コイル３が配置され、インバータ電源装置４から交流電流の供給を受けて被加熱物である調理物の入った鍋５に渦電流を発生させ、発熱させて調理することができるようになっている。インバータ電源装置４の入力を制御する制御部６は、入力設定情報やセンサー１７等による部品温度、雰囲気温度の情報によってコントロールしている。上部フレーム８は、ステンレス鋼板やホーロー鋼板のような金属の薄板よりなり、引っ掻き等に対して十分な強度を有している。上部フレーム８は、その操作部分と外周部分が一体形成されているが、図１に示すように、その操作部分と外周部分に分割して構成することも可能である。
【００２３】
上部フレーム８とともに本体１を構成する下部フレーム９と、上部フレーム８との間に、メンブレン型の薄膜スイッチ１０を樹脂部品等で凹状に構成した固定板１５内に取り付けて配置し、上、下部フレーム８間で挟持して本体１に取り付けている。この取り付け状態では、薄膜スイッチ１０の操作部１０ｅは、固定板１５、下部フレーム９を介してキャビネット７の上部に位置しており、操作部１０ｅの押圧力をキャビネット７で受け、薄膜スイッチ１０のたわみを抑え、操作性と耐久性を向上させている。また、上部フレーム８には凹部８ａを設けており、ここに薄膜スイッチ１０の操作部１０ｅを配置し、上部フレーム８の上面より凹部８ａの段差分だけ下方に薄膜スイッチ１０の操作部１０ｅを位置させている。
【００２４】
薄膜スイッチ１０は、一対の電気絶縁板１０ａ、１０ｂが、間に絶縁性を有するスペーサ１０ｃを挟んでサンドイッチ構造をなして対向しており、スペーサ１０ｃを欠いた場所には、その対向する表面に電極１１ａ、１１ｂが形成されている。この入力設定の薄膜スイッチ１０は、鍋載置板５と隣り合わせて配置されている。これらの電極１１ａ、１１ｂは、誘導加熱調理器の設定のために必要なＯＮ、ＯＦＦや、出力設定等の必要に応じて配置、形成すればよい。また、絶縁板１０ａ、１０ｂと電極１１ａ、１１ｂは、ポリエステルやポリイミドの基材に銀カーボン印刷をしたフレキシブルプリント基板を用いて構成している。このフレキシブルプリント基板は、電極１１ａ、１１ｂ空間において固定板１５を通して外気と通じる空気穴１３が設けられている。この空気穴１３は必要不可欠のもので、薄膜スイッチ１０の急激な熱変化による電極１１ａ、１１ｂ空間の膨張、圧縮を防止し、圧縮した場合の電極１１ａ、１１ｂ間の短絡を防ぐことができる。
【００２５】
また、薄膜スイッチ１０と制御部６の配線用ケーブル１２は、その途中に略Ｕ字状のたるみ部１２ａを有するものであり、本体１内に液体が浸入したとしても、配線用ケーブル１２のたるみ部１２ａで滴下することになり、加熱コイル３やインバータ電源装置４には液体が浸入することがなく、安全である。また、たるみ部１２ａと対向する本体１の底部位置に液体を溜めるへこみ部１４を設けていることにより、たるみ部１２ａから滴下する液体を、一時的に溜めることができ、機器の制御部６やインバータ電源装置４あるいはその他の部分に液体が浸入するのを防止している。さらに、薄膜スイッチ１０と上部フレーム８との接合部にパテ等の接着剤からなるシール材１６を取り付けたものであり、薄膜スイッチ１０の端面部への液体の浸入を防いでいるほか、使用者が水や煮汁を上部フレーム８の凹部８ａに放置してしまっても、それが内部に浸入することがなく、電気部品がある機器の内部にまで侵入することがないようにしている。なお、シール材１６は弾力性のあるゴムパッキンやクッション材としてもよい。
【００２６】
（実施の形態２）
図３は、本発明の実施の形態２における誘導加熱調理器を示すものである。実施の形態１と同一要素については、同一符号を付して説明を省略する。
【００２７】
本実施の形態においては、薄膜スイッチ１０を構成する電極１１ａ、１１ｂ空間と外気とが通ずる空気穴１３は、配線用ケーブル１２のたるみ部１２ａより制御部６側で開放して配設した。すなわち、空気穴１３を配線用ケーブル１２の制御部６側の先端まで延長したものである。
【００２８】
これにより、キッチンのキャビネット７よりも距離が遠くなるとともに、配線用ケーブル１２のたるみ部１２ａの後方に空気穴１３が位置することになり、空気穴１３から液体が薄膜スイッチ１０に浸入して電極１１ａ、１１ｂ間を短絡させることはない。
【００２９】
（実施の形態３）
図４は、本発明の実施の形態３における誘導加熱調理器を示すものである。実施の形態１、２と同一要素については、同一符号を付して説明を省略する。
【００３０】
本実施の形態においては、薄膜スイッチ１０は、上部フレーム８の裏面に両面テープ１８あるいは接着剤により貼り付けたものである。
【００３１】
これにより、薄膜スイッチ１０が上部フレーム８の裏面に密着し、上部フレーム８上の液体が薄膜スイッチ１０内に浸入することを防止している。
【００３２】
また、上部フレーム８の上面に、薄型スイッチ１０への液体の流れ込みを阻止する上方に突出した液体阻止部１９を設けたことにより、液体阻止部１９の作用で鍋載置板２にこぼれた水や煮汁がメンブレン型の薄膜スイッチ１０側に流れ込むことを防止するとともに、加熱された鍋やフライパン等がずらして置かれた時にも、液体阻止部１９の作用で直接薄型スイッチ１０に接触することがなく、薄膜スイッチ１０の熱変形や電極１１ａ、１１ｂ間の短絡を防止することができる。なお、液体阻止部１９はリング状に設けるか、あるいは鍋載置板２と薄膜スイッチ１０との間に堰きとして設けるかのいずれでもよい。
【００３３】
図４においては、液体を溜めるへこみ部１４を本体１とは別部品で構成して着脱自在としているが、これにより、へこみ部１４を取り外して使用者が必要なときに溜まった液体の排出処理をすることができ、衛生的で安心できるものとなる。
【００３４】
（実施の形態４）
図５は、本発明の実施の形態４における誘導加熱調理器を示すものである。実施の形態１と同一要素については、同一符号を付して説明を省略する。
【００３５】
本実施の形態においては、薄膜スイッチ１０が位置する上部フレーム８に設けた凹部８ａと、本体１の外周との間に液体を排出する排出溝２０を設けたものである。
【００３６】
これにより、薄膜スイッチ１０上に水や煮汁がこぼれても溜まることがなく、排出溝２０を介して外周面に流れ出ていくため、信頼性が高まるとともに、汚れが溜まる心配も少なくなるものである。
【００３７】
なお、上記した各実施の形態１〜４においては、必要に応じて適宜組み合わせて構成することができるものであり、各実施の形態の構成に限られるものではない。また、各実施の形態の薄膜スイッチは特定の一つの入力設定スイッチに限られるものではなく、他の複数のスイッチにも適宜応用することができるものである。
【産業上の利用可能性】
【００３８】
以上のように、本発明にかかる誘導加熱調理器は、メンブレン型の薄膜スイッチの構成を簡単、かつコンパクト化し、使い勝手のよいものとすることができるものであるので、ビルトイン型の誘導加熱調理器はもちろんのこと、据え置き型や卓上型の誘導加熱調理器としても有用なものである。
【図面の簡単な説明】
【００３９】
【図１】本発明の実施の形態１における誘導加熱調理器の斜視図
【図２】同誘導加熱調理器の要部断面図
【図３】本発明の実施の形態２における誘導加熱調理器の要部断面図
【図４】本発明の実施の形態３における誘導加熱調理器の要部断面図
【図５】本発明の実施の形態４における誘導加熱調理器の斜視図
【符号の説明】
【００４０】
１  本体
２  鍋載置板
３  加熱コイル
４  インバータ電源装置
６  制御部
７  キャビネット
８  上部フレーム
８ａ  凹部
９  下部フレーム
１０  薄膜スイッチ
１０ｅ  操作部
１１ａ、１１ｂ  電極
１２  配線用ケーブル
１２ａ  たるみ部
１３  空気穴
１４  へこみ部
１５  固定板
１６  シール材
【図１】
2005085664.tif 000003
【図２】
2005085664.tif 000004
【図３】
2005085664.tif 000005
【図４】
2005085664.tif 000006
【図５】
2005085664.tif 000007